(57)【要約】【課題】離れた場所にいる高齢者等の被測定者の健康状態の把握を無線送受信器を備えた通信端末装置により行う。【解決手段】ファクシミリ１に、被測定者３に装着された測定器２との間で無線によるデータ通信が可能であり、かつ、前記測定器２に対して定期的に測定指示を無線送信する無線送受信器１１と、該測定器２から無線により受信した測定データを複数回分蓄積可能な記憶部１２と、その蓄積された測定データを所定のタイミングでネットワーク網３１を介して外部通信端末装置３２に送信する通信部１３とを備えた。【選択図】　　　　図１
2004088334.tif 000002
【特許請求の範囲】
【請求項１】
被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングでネットワーク網を介して外部の指定宛先に送信する送信手段とを備えたことを特徴とする通信端末装置。
【請求項２】
被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングで印字出力する印字手段とを備えたことを特徴とする通信端末装置。
【請求項３】
前記外部の指定宛先からの再測定指示を受信する手段と、その再測定指示の受信に基づいて前記測定器に対して再測定指示を無線送信する手段とを備えたことを特徴とする請求項１または請求項２に記載の通信端末装置。
【請求項４】
前記測定器から受信した測定データの異常判定を行う異常判定手段と、該異常判定手段により異常と判定された場合に、該測定器に対して再測定指示を無線送信する手段とを備えたことを特徴とする請求項１または請求項２に記載の通信端末装置。
【請求項５】
前記測定器に再測定指示を送信した後、それに対する応答としての測定データが前記異常判定手段により異常と判定された場合には、直ちに前回送信以降に前記蓄積手段に蓄積されている測定データを全て送信することを特徴とする請求項４に記載の通信端末装置。
【発明の詳細な説明】
【０００１】
【発明の属する技術分野】
本発明は、通信端末装置の技術に関し、詳細には通信端末装置を用いて被測定者の健康状態を把握できるようにした技術に関する。
【０００２】
【従来の技術】
従来から、通信端末装置と、被測定者の体に装着した測定器との間を無線送受信器により送受信可能として、通信端末装置は測定器により測定されたデータを受信した後、その測定データをネットワーク網を介して病院等の指定宛先に送信して、被測定者の健康状態の把握を行う技術は公知となっている。
【０００３】
【発明が解決しようとする課題】
この技術においては、測定データの通信端末装置から病院等の指定宛先への送信時期については、大きく分けて、通信端末装置が測定器から測定データを受信する度に送信を行うものと、通信端末装置内に測定データに対する異常判定手段を設けて、その異常判定手段により異常と判定された場合にのみ送信を行うものとがあった。
しかし、前者では、指定宛先で測定データの受信が頻繁に発生して、指定宛先において多数の被測定者を管理している場合もあり、この受信の度に行う測定データの管理・処理はなかなか手間隙が掛かっていた。また、これら送られてくる測定データの殆どには異常が見られず、被測定者に異常が発生した場合には迅速に対処できるが、あまり合理的とは言えない。さらに、この測定データの送信にかかる通話料は多額となって、通話料を支払う被測定者又はその家族にとっては経済的にも負担になる。
一方、後者では、異常な状態が発生して初めて測定データが送信されるため、指定宛先の作業が軽減され、しかも、異常が発生した被測定者に対して迅速に対処することができる。しかしながら、通信端末装置、又は測定器等の誤作動により異常と判定されるケースもあってやや信頼性に欠けるところがあり、かかる場合の対応が求められている。また、通常、測定器による被測定者の測定データはその殆どは正常であり、容量の関係から、これら正常な（健康な）状態における測定データを継続的にバックアップしておくことは困難であった。
さらに、上記の技術のほかに、被測定者を常時モニタできる技術も開発されてはいるが、このようなシステムは重病を患った病人や寝たきりの高齢者等以外にはあまり実用的でなく、その適用対象は限られてくる。
このように被測定者の健康状態に応じた効率的な測定データの送信を行うことが要求され、そこで、本発明では、以上に掲げた問題点を解消することを課題とする。
【０００４】
【課題を解決するための手段】
本発明の解決しようとする課題は以上の如くであり、次にこの課題を解決するための手段を説明する。
すなわち、請求項１においては、被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングでネットワーク網を介して外部の指定宛先に送信する送信手段とを備えたものである。
【０００５】
請求項２においては、被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングで印字出力する印字手段とを備えたものである。
【０００６】
請求項３においては、前記外部の指定宛先からの再測定指示を受信する手段と、その再測定指示の受信に基づいて前記測定器に対して再測定指示を無線送信する手段とを備えたものである。
【０００７】
請求項４においては、前記測定器から受信した測定データの異常判定を行う異常判定手段と、該異常判定手段により異常と判定された場合に、該測定器に対して再測定指示を無線送信する手段とを備えたものである。
【０００８】
請求項５においては、前記測定器に再測定指示を送信した後、それに対する応答としての測定データが前記異常判定手段により異常と判定された場合には、直ちに前回送信以降に前記蓄積手段に蓄積されている測定データを全て送信するものである。
【０００９】
【発明の実施の形態】
次に、発明の実施の形態を説明する。
図１は本発明を採用した第一実施例を示す図、図２は第一実施例におけるフローチャート、図３は第二実施例を示す図、図４は第二実施例におけるフローチャートである。
【００１０】
まず、本発明の第一実施形態について説明する。
図１に示すように、通信端末装置としてのファクシミリ１には、無線送受信器１１、蓄積手段である記憶部１２、通信部１３、タイマ部１４、表示部１５、記録部（プリンタ）１６等を備えている。また、ファクシミリ１はネットワーク網３１を介して、外部の指定宛先（外部通信端末装置）３２と接続され、その指定宛先との間でデータが送受信可能となっている。
なお、本実施例では、通信端末装置としてファクシミリを採用しているが、これに限定するものではなく、複合機等を採用することも可能である。
【００１１】
被測定者３には、測定部２０、無線送受信器２１、記憶部２２、タイマ部２３等を備えた測定器２が装着されている。該測定器２は、本実施例では、腕時計タイプとしており、被測定者３の手首等に巻き付けて装着される。
被測定者３とは、離れた場所から健康状態を把握しておきたい人であり、例えば、家族（子）と離れて生活している高齢者、通院が必要な病人等である。
【００１２】
ファクシミリ１において、前記無線送受信器１１は、測定器２の無線送受信器２１との間で無線によるデータ通信を可能としており、本実施例では、Ｂｌｕｅｔｏｏｔｈ送受信器を備えている。
「Ｂｌｕｅｔｏｏｔｈ」とは、２．４ギガヘルツ帯域を用いる無線伝送方式であり、比較的短い距離（１０メートル程度）での、パソコン、周辺機器、家電、携帯電話等の間におけるデータ交換を可能とした技術である。なお、無線送受信器１１として、赤外線送受信器を備える構成などとしてもよい。
無線送受信器１１は、測定器２から送信される測定データの受信を行い、また、測定開始の指示を測定器２に送信する測定指示手段としても働く。この測定開始の指示は、定期的に、例えば、一時間毎に送信され、測定開始時刻はタイマ部１４において、被測定者３の健康状態等に応じて適宜設定することができる。また、外部通信端末装置３２からの再測定指示の受信に基づき測定器２に対して再測定指示を送信する手段としても働く。
【００１３】
前記記憶部１２は、無線送受信器１１により受信した測定データを複数回分蓄積可能としている。すなわち、ファクシミリ１に対して、測定器２に測定指示を送信する測定指示送信周期と、測定器２から受信した測定データを外部通信端末装置３２に送信する測定データ送信周期とが適宜設定可能であり、測定データ送信周期を測定指示送信周期より長い期間に設定しておくことにより、測定器２から受信した測定データを記憶部１２に複数回分蓄積し、その複数回分の蓄積データをまとめて外部通信端末装置３２に送信することができる。
【００１４】
前記通信部１３は、所定のタイミングでネットワーク網３１を介して前記記憶部１２に蓄積されている測定データを外部通信端末装置３２に対して送信する送信手段として働く。所定のタイミングとは、例えば、一日のうち朝夕の決められた時間に二回とか、一日のうち正午に一回とかであり、タイマ部１４において、被測定者３の健康状態等に応じて適宜設定することができる。測定データの送信は、送信先の外部通信端末装置３２の種類に応じてファックス送信やメール送信としている。また、該通信部１３はネットワーク網３１を介して外部通信端末装置３２からの再測定指示を受信する手段としても働く。
また、前記記録部１６は、所定のタイミングで記憶部１２に蓄積されている測定データを記録紙に印字出力する。
前記タイマ部１４は、現在時刻、測定開始時刻、測定時間、送信時刻、印字時刻等を管理し、これらの設定を変更可能とする。また、前記表示部１５に、現在時刻、最新の測定データ等が表示される。
【００１５】
前記外部通信端末装置３２とは、予め定められた送信先（指定宛先）の端末であり、例えば、離れた場所にいる家族等のファクシミリ３２ａ、パソコン３２ｂ、携帯電話３２ｃ等である。該外部通信端末装置３２はネットワーク網３１を介してファクシミリ１と接続されており、ファクシミリ１からの測定データを受信する。なお、被測定者３が病人等である場合には、病院等の端末（ＰＣ等）に送信し、医師等に知らせることもできる。
【００１６】
測定器２において、前記測定部２０には脈拍計、体温計、血圧計等が備えられ、被測定者３の脈拍、体温、血圧等を測定する。前記無線送受信器２１は、ファクシミリ１と同様のＢｌｕｅｔｏｏｔｈ送受信器を採用しており、測定データの送信、測定開始指示及び再測定指示の受信を行う。なお、無線送受信器２１として、赤外線送受信器を採用することもできる。前記記憶部２２は、測定部２０により測定された測定データを一時的に格納する。前記タイマ部２３により測定中における経過時間等を計測する。なお、測定器２に表示部を設けて、被測定者３が表示された経過時間や測定データ等を見ることを可能としてもよく、また、測定開始キー等を設けてもよい。
【００１７】
図２に示すように、ファクシミリ１を用いた被測定者３の健康状態の把握は以下のようにして行われる。なお、図２においては、ファクシミリ１の処理を実線のブロックにて表し、測定器２の処理を破線のブロックにて表している。
まず、ファクシミリ１のタイマ部１４にて予め定められた測定開始時刻になったことが検出されると（ステップＳ１）、無線送受信器１１から測定器２の無線送受信器２１に対して、測定開始の指示を送信する（ステップＳ２）。
【００１８】
そして、この測定開始指示を受信した測定器２は、測定部２０にて被測定者３の脈拍、体温、血圧等の測定を行う（ステップＳ３）。
【００１９】
次に、測定部２０により測定された脈拍、体温、血液等の測定データは、一旦、測定器２の記憶部２２に格納された後（ステップＳ４）、無線送受信器２１からファクシミリ１の無線送受信器１１に送信される。なお、記憶部２２を介さない構成とすることもできる。
【００２０】
次に、ファクシミリ１が無線送受信機１１により測定器２から測定データを受信した場合には（ステップＳ５）、ファクシミリ１は受信した測定データをファクシミリ１の記憶部１２に格納する（ステップＳ６）。このとき、表示部１５に受信した測定データを表示してもよい。なお、ステップＳ５において、ファクシミリ１がステップＳ２の測定開始指示に対する測定データを受信できなかった場合には、測定器２へ測定開始指示を再送信し、測定指示送信周期ごとに測定データが確実に得られるようにする。
【００２１】
このようにして、ファクシミリ１と測定器２とは、予め定められた送信時刻（印字時刻）になるまで（ステップＳ７）、上記のステップＳ１からステップＳ６の手順を測定開始時刻の度に定期的に繰り返し行い、ファクシミリ１の記憶部１２には定期的に測定が行われた回数分の測定データが蓄積される。
【００２２】
そして、ファクシミリ１は予め定められた送信時刻になると（ステップＳ７）、記憶部１２に蓄積されている複数回分の測定データを、通信部１３からネットワーク網３１を介して外部通信端末装置３２に送信する（ステップＳ８）。
このとき送信される複数回分の測定データは、前回の送信時以降に記憶部１２に蓄積されたものである。例えば、測定周期を一時間一回、送信タイミングを一日一回と設定した場合には、外部通信端末装置３２に一日分計二十四回の測定データが一括して送信される。
なお、送信時には、必要に応じて測定器２から受信した測定データを加工・編集してから外部通信端末装置３２に送信してもよい。
このようにして、離れた場所にいる家族等に被測定者３の測定データを送信して、健康状態を知らせることができる。また、複数回分の測定データをまとめて送信することにより、被測定者３の健康状態に応じた効率的なデータ送信とすることができ、また、通話料を少なくできる。
【００２３】
同様に、ファクシミリ１は予め定められた印字時刻になると、記憶部１２に蓄積されている測定データを、記録部１６によって記録紙にプリントアウトする（ステップＳ９）。なお、本実施例では、この印字時刻は送信時刻と同じ時刻に設定しているが、異なる時刻に設定してもよい。
このようにして、被測定者３自身、被測定者３宅を訪れた家族、往診に来た医師等が印字された測定データを見ることができるようにしている。また、複数回分の測定データをまとめてプリントアウトすることにより、記録紙の使用量を少なくでき、測定データの加工・編集等を行う場合には、一層少なくできる。
【００２４】
測定データ送信または印字出力が完了すると、記憶部１２に蓄積されていた複数回分の測定データをクリアする。ただし、測定データをクリアすることなく、記憶部１２に新たな複数回分の測定データを上書きすることとしてもよい。
【００２５】
以上のようにして、ファクシミリ１を用いて離れた場所から被測定者３の健康状態を把握できるようにしている。本実施例では、後述する第二実施例における場合ような異常判定手段を設けずに、異常の有無に拘らず測定データを送信することとしているので、ファクシミリ１の構成を簡単にするとともに、指定宛先では異常のない場合の測定データも併せて参照できる。
また、ファクシミリ１から測定開始指示を定期的に送信することにより測定器２が測定を行うこととしているので、測定器２において測定周期を設定する必要がなく、また、測定器２の構成を簡単にできる。
【００２６】
また、前述したような定期的な測定指示による測定に加えて、外部通信端末装置３２からの再測定指示により測定を行うことも可能としている。
この場合には、ファクシミリ１が通信部１３において外部通信端末装置３２からの再測定指示を受信すると、予め定められた定期的な測定開始時刻以前でも、ファクシミリ１の無線送受信器１１は再測定指示を測定器２に送信する。
そして、測定器２は測定部２０にて被測定者３の脈拍、体温、血圧等の測定を行い、その測定データをファクシミリ１に送信する。ファクシミリ１は受信した測定データを記憶部１２に格納する。
このように、指定宛先の家族等が送信されてきた測定データを見て、異常を認識した場合に再測定指示を送信する等、外部通信端末装置３２から送信される再測定指示により再測定を行えるようにしているので、ファクシミリ１内に測定データの正常・異常を判定する異常判定手段を別個に備える必要がない。
【００２７】
なお、再測定指示による測定データは、予め定められた送信時刻に送信するのではなく、該測定データをファクシミリ１が受信した直後に、再測定指示を送信してきた外部通信端末装置（指定宛先）３２に対し送信することとしてもよい。この場合には、指定宛先の家族等は再測定指示の送信後まもなく、測定データを受信し、被測定者３の健康状態を知ることができる。
また、ファクシミリ１にではなく、外部通信端末装置３２に異常判定手段を備えて、受信した測定データを解析して異常判定を行い、異常と判定した場合に、自動的にファクシミリ１に対して再測定指示を送信するようにしてもよい。ここで言う異常判定手段とは、後述する第二実施例のものと同様の手段である。
【００２８】
次に、本発明の第二実施例について説明する。
図３に示すように、本実施例では、ファクシミリ１は第一実施例の構成に加えて異常判定手段である判定部１８を備えている。以下の説明においては、第一実施例と異なるところを中心に説明する。
この場合、無線送受信器１１は、前記判定部１８が異常と判定した場合の測定器２に対する再測定指示の送信手段としても働く。
【００２９】
前記判定部１８は、ファクシミリ１が受信した測定器２からの測定データの正常・異常を判定するものであり、正常と判定した場合には受信した測定データを記憶部１２に格納し、異常と判定した場合には、さらに無線送受信器１１は再測定指示を測定器２に対して送信する。
【００３０】
前記判定部１８における測定データの正常・異常の判定は、例えば、予め脈拍、体温、血圧等の正常範囲（上限値と下限値を設ける場合、その上限値と下限値の間の範囲）を設定しておき、ファクシミリ１が受信した測定データがその正常範囲にあるか否かにより行う。この結果、正常範囲内にあれば正常と、なければ異常と判定される。この正常範囲は被測定者３の健康状態等に応じて適宜設定することが可能であり、また、複数回数続けて正常範囲から外れた場合に、異常と判定する設定としてもよい。さらに、判定部１８には、異常判定回数のカウント手段を設けている。
【００３１】
次に、この第二実施例における、ファクシミリ１を用いての被測定者３の健康状態の管理について図４を用いて説明する。なお、図４においては、ファクシミリ１の処理を実線のブロックにて表し、測定器２の処理を破線のブロックにて表している。
まず、ファクシミリ１のタイマ部１４にて予め定められた測定開始時刻になったことが検出されると（ステップＴ１）、無線送受信器１１から測定器２の無線送受信器２１に対して、測定開始の指示を送信する（ステップＴ２）。
【００３２】
そして、この測定開始指示を受信した測定器２は、測定部２０にて被測定者３の脈拍、体温、血圧等の測定を行う（ステップＴ３）。
【００３３】
次に、測定部２０により測定された脈拍、体温、血液等の測定データは、一旦、測定器２の記憶部２２に格納された後（ステップＴ４）、無線送受信器２１からファクシミリ１の無線送受信器１１に送信される。なお、記憶部２２を介さない構成とすることもできる。
【００３４】
次に、ファクシミリ１が無線送受信機１１により測定器２から測定データを受信した場合には（ステップＴ５）、ファクシミリ１は受信した測定データをファクシミリ１の記憶部１２に格納する（ステップＴ６）。このとき、表示部１５に受信した測定データを表示してもよい。なお、ステップＴ５において、ファクシミリ１がステップＴ２の測定開始指示に対する測定データを受信できなかった場合には、測定器２へ測定開始指示を再送信し、測定指示送信周期ごとに測定データが確実に得られるようにする。
【００３５】
そして、測定データは前記判定部１８に出力されて正常・異常が判定され（ステップＴ７）、正常であれば、そのまま測定データは記憶部１２に蓄積されて、予め定められた送信時刻（印字時刻）になっていなければ、前記ステップＴ１に返されて次の測定開始時刻を待ち、送信時刻になっていれば（ステップＴ８）、記憶部１２に蓄積されている複数回分の測定データを、通信部１３からネットワーク網３１を介して外部通信端末装置３２に送信する（ステップＴ１０）。
【００３６】
一方、前記ステップＴ７で、異常と判定された場合は、前記カウント手段による異常判定回数が１回目か否かを判定し（ステップＴ１１）、１回目の場合には再測定指示が無線送受信器１１から測定器２に対して送信される（ステップＴ１２）。
【００３７】
この再測定指示を受信した測定器２は測定部２０により脈拍、体温、血圧等の再測定を行い（ステップＴ３）、再測定された測定データは、一旦、測定器２の記憶部２２に格納された後（ステップＴ４）、無線送受信器２１からファクシミリ１の無線送受信器１１に送信される（ステップＴ５）。この受信した再測定データはファクシミリ１の記憶部１２に格納され（ステップＴ６）、そして、前記判定部１８はファクシミリ１が受信した再測定指示に対する応答としての再測定データの正常・異常判定を行う（ステップＴ７）。１回目の異常判定に続き、この２回目の異常判定でも異常と判定された場合には、予め定められた送信時刻になっていなくても、直ちに前回送信時以降に記憶部１２に蓄積されている全ての測定データが指定宛先である外部通信端末装置３２に送信される（ステップＴ９）。この際には、測定データに異常がある旨のタグを送信データに付加して送信する。なお、本実施例では、２回続けての異常判定により直ちに測定データの送信を行うこととしているが（ステップＴ１１）、この回数は２回に限定されるものでなく、これ以上の回数（例えば、３回）を設定してもよい。
【００３８】
このように、ファクシミリ１に判定部１８を設けて、再測定指示による測定データに異常がある場合には、予め定められた送信時刻以前でも測定データを送信するので、早期に指定宛先の家族等にその旨を伝えることができ、被測定者３の健康状態の変化に迅速に対応できる。また、このとき、前回送信時以降に記憶部１２に蓄積されている複数回分の測定データをともに送信するため、指定宛先においては異常発生前の正常な場合の測定データを参照することができ、異常発生前後の測定データの比較・分析をすることができる。
さらに、一旦、測定データを異常と判定した後、再度、再測定指示による測定データの異常の有無を確かめるため、ファクシミリ１等の誤動作による異常、例えば、ファクシミリ１と測定器２との間の無線電波不良による異常等を排除することができる。
【００３９】
【発明の効果】
本発明は、以上のように構成したので、以下に示すような効果を奏する。
すなわち、請求項１に示す如く、被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングでネットワーク網を介して外部の指定宛先に送信する送信手段とを備えたので、離れた場所にいる家族等に被測定者の測定データを送信することにより、離れた場所から被測定者の健康状態を把握できるようにしている。また、複数回分の測定データをまとめて送信することにより、被測定者の健康状態に応じた効率的なデータ送信とすることができ、また、通話料を少なくできる。また、測定データを異常の有無に拘らず送信することにより、通信端末装置の構成を簡単にするとともに、指定宛先においては異常のない場合の測定データも併せて参照できる。
【００４０】
請求項２に示す如く、被測定者に装着された測定器との間で無線によるデータ通信が可能な無線送受信器と、前記測定器に対して定期的に測定指示を無線送信する測定指示手段と、該測定器から無線により受信した測定データを複数回分蓄積可能な蓄積手段と、該蓄積手段に蓄積された測定データを所定のタイミングで印字出力する印字手段とを備えたので、被測定者自身、被測定者宅を訪れた家族、往診に来た医師等が印字された測定データを見ることができる。また、複数回分の測定データをまとめてプリントアウトすることにより、記録紙の使用量を少なくでき、測定データの加工・編集等を行う場合には、一層少なくできる。
【００４１】
請求項３に示す如く、前記外部の指定宛先からの再測定指示を受信する手段と、その再測定指示の受信に基づいて前記測定器に対して再測定指示を無線送信する手段とを備えたので、通信端末装置内に測定データの正常・異常を判定する異常判定手段を別個に備えずに、指定宛先の家族等が送信されてきた測定データを見て、異常を認識した場合に再測定指示を送信することにより、通信端末装置の構成を簡単にできる。
【００４２】
請求項４に示す如く、前記測定器から受信した測定データの異常判定を行う異常判定手段と、該異常判定手段により異常と判定された場合に、該測定器に対して再測定指示を無線送信する手段とを備えたので、一旦、測定データを異常と判定した後、再度、再測定指示による測定データの異常の有無を確かめるため、通信端末装置等の誤動作による異常等を排除することができる。
【００４３】
請求項５に示す如く、前記測定器に再測定指示を送信した後、それに対する応答としての測定データが前記異常判定手段により異常と判定された場合には、直ちに前回送信以降に前記蓄積手段に蓄積されている測定データを全て送信するので、通信端末装置に異常判定手段を設けて、再測定指示による測定データに異常がある場合には、予め定められた送信時刻以前でも測定データを送信することにより、早期に指定宛先の家族等にその旨を伝えることができ、被測定者の健康状態の変化に迅速に対応できる。また、前回送信時以降に蓄積手段に蓄積されている複数回分の測定データをともに送信することにより、指定宛先においては異常発生前の正常な場合の測定データを参照することができ、異常発生前後の測定データの比較・分析をすることができる。
【図面の簡単な説明】
【図１】本発明を採用した第一実施例を示す図。
【図２】第一実施例におけるフローチャート。
【図３】第二実施例を示す図。
【図４】第二実施例におけるフローチャート。
【符号の説明】
１　　ファクシミリ
２　　測定器
３　　被測定者
１１　無線送受信器
１２　記憶部
１３　通信部
１４　タイマ部
１６　記録部
１８　判定部
２０　測定部
２１　無線送受信器
３１　ネットワーク網
３２　外部通信端末装置
【図１】
2004088334.tif 000003
【図２】
2004088334.tif 000004
【図３】
2004088334.tif 000005
【図４】
2004088334.tif 000006